(57)【要約】【課題】装着時の身体へのフィット性に優れ、漏れ防止効果の高い吸収性物品を提供すること。【解決手段】本発明の吸収性物品１は、表面シート２、裏面シート３、及び両シート間に介在された吸収体４を備えている。吸収体４は、前方部から後方部に亘って配され且つ後方部において後方に向けて幅が狭く設けられた第１吸収部４１と、第１吸収部４１の幅が狭い部分の両側に配された第２吸収部４２とを有しており、第１吸収部４１の後端部４１０が、第２吸収部４２の後端部４２０の前方に配されている。【選択図】図１
2008035920.tif 000002
【特許請求の範囲】
【請求項１】
表面シート、裏面シート、及び両シート間に介在された吸収体を備えた吸収性物品であって、
前記吸収体は、前方部から後方部に亘って配され且つ後方部において後方に向けて幅が狭く設けられた第１吸収部と、第１吸収部の幅が狭い部分の両側に配された第２吸収部とを有し、
第１吸収部は、後端部が第２吸収部の後端部の前方に位置するように設けられている吸収性物品。
【請求項２】
装着時に非肌当接面側に折り返されて下着に固定されるウィングフラップを有し、前記第２吸収部はその前端部が前記ウィングフラップの間に収まるように配されている請求項１に記載の吸収性物品。
【請求項３】
第１及び第２吸収部並びに第２吸収部どうしの間にこれらの吸収部どうしが離間した離間部が設けられている請求項１又は２に記載の吸収性物品。
【請求項４】
前記離間部において前記表面シートと前記裏面シートとが接合されている請求項３に記載の吸収性物品。
【請求項５】
第１及び第２吸収部並びに第２吸収部どうしの間にこれらの吸収部より薄肉又は低坪量の境界部を有している請求項１又は２に記載の吸収性物品。
【請求項６】
第２吸収部の液吸収能が第１吸収部の４０〜１００％である請求項１〜５の何れかに記載の吸収性物品。
【請求項７】
前記第１吸収部と前記第２吸収部との間に設けられた前記離間部又は前記境界部が湾曲している請求項３〜６の何れかに記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
従来の吸収性物品は、身体に装着したときに、吸収性物品の内部に配された吸収体が自由に変形できず、身体との隙間が生じやすいため、漏れが生じることがあった。
【０００３】
一方、吸収体の内接合ラインを備え、該接合ラインに沿って切り詰めることで、下着の形態に合わせた二種類の形態で使用できる吸収性物品が提案されている（下記特許文献１参照）。しかし、この吸収性物品は、前方からのびる第１吸収体の後端部が、その両側から後方に位置する第２吸収体の後端部にそろえられているため、そのまま使用した場合には、身体へのフィット性が悪くなる。
【０００４】
【特許文献１】特開２００１−３４０３７６号公報
【発明の開示】
【発明が解決しようとする課題】
【０００５】
本発明は、上記課題に鑑みてなされたものであり、装着時の身体へのフィット性に優れ、漏れ防止効果の高い吸収性物品を提供することを目的とする。
【課題を解決するための手段】
【０００６】
本発明は、表面シート、裏面シート、及び両シート間に介在された吸収体を備えた吸収性物品であって、前記吸収体は、前方部から後方部に亘って配され且つ後方部において後方に向けて幅が狭く設けられた第１吸収部と、第１吸収部の幅が狭い部分の両側に配された第２吸収部とを有し、第１吸収部は、後端部が第２吸収部の後端部の前方に位置するように設けられている吸収性物品を提供することにより、前記目的を達成したものである。
【発明の効果】
【０００７】
本発明の吸収性物品は、装着時の身体へのフィット性に優れ、漏れ防止効果が高い。
【発明を実施するための最良の形態】
【０００８】
以下本発明をその好ましい実施形態に基づいて、図面を参照しながら説明する。
図１及び図２は、本発明の吸収性物品を生理用ナプキンに適用した第１実施形態を模式的に示すものである。これらの図において、符号１は生理用ナプキン（以下、単にナプキンともいう。）を示している。
【０００９】
図１及び図２に示したように、本実施形態のナプキン１は、肌当接面を構成する表面シート２、非肌当接面を構成する裏面シート３、及び表面シート２と裏面シート３との間に介在された吸収体４とを備えており、実質的に縦長に形成されている。吸収体４は両シート２、３間に配置されて固定されている。本実施形態のナプキン１は、両側に張り出したずれ止め用のウィングフラップ５、５を備えている。ウィングフラップ５、５は、装着時に非肌当接面側に折り返されてショーツ等の下着に固定される。
【００１０】
吸収体４は、第１吸収部４１と、第２吸収部４２とを有している。第１吸収部４１は、ナプキン１の前方部から後方部に亘って配され且つウィングフラップ５、５の長手方向略中央より後方において後方に向けて幅が漸次狭くなるように設けられている。第２吸収部４２は、第１吸収部４１の幅が狭い部分の両側に左右対称に配されている。第１吸収部４１と第２吸収部４２との間には、離間部４３が設けられており、第１吸収部４１と第２吸収部４２とは独立している。離間部４３には、各吸収部の構成材料が全く残っていないことが好ましいが、各吸収部を積繊等によって設けるときにその構成材料が離間部４３にわずかに堆積して残ってしまっている場合等吸収部どうしが実質的に離間されるように設けられていれば本発明に含まれる。
【００１１】
第１吸収部４１は、後端部４１０が第２吸収部４２の後端部４２０の前方（図１において上方）に位置するように設けられている。このため、ナプキン１を装着したときに、離間部４３が屈曲起点として働き、離間部４３より外方の第２吸収部４２が折れるが、第１吸収部４１が後方（図１において下方）ほど細いので、股間部から臀部間の溝へ至る幅が狭くなる領域にフィットする。また、第２吸収部４２は離間部４３において曲げによる影響を及ぼすことが抑えられながら山折形状で曲がるので、離間部４３の少なくとも第１吸収部４１と第２吸収部４２の後端部４２０の間隔Ｄ１（図１参照）に相当する部位が臀部間の溝に入り込み、第２吸収部４２を身体にフィットさせることができ漏れ防止性が高まる。
【００１２】
第２吸収部４２は、前方に向けて幅が漸次狭くなるように設けられている。そのため、後方部では臀部を広く覆いながら股間部では身体形状や動きに対してもフィットするという効果が得られる。第２吸収部４２は、前端部４２１がウィングフラップ５の長手方向略中央に位置するように配されている。これにより、ウィングフラップ５、５を折り曲げてショーツ等の下着に固定して装着したときに、大腿部を閉じる力によって、離間部４３を軸として第２吸収部４２の前端部４２１の部分も身体側へ山折りに曲げられるとともに、大腿部を閉じる力と下着の弾性部材による身体側へ押し付ける力により、第２吸収部４２の後方が図３に示したように変形することによって、第１吸収部４１がウィングフラップ５の長手方向略中央から後方部位で人体方向に押し上げられる。そのため、第１吸収部４１が人体にフィットし、漏れ防止効果が高まる。また、第１吸収部４１と第２吸収部４２の間が吸収性を有しない離間部４３が設けられているので、股間部より第１吸収部４１に排出された体液は、第１吸収部４１の吸収能力を超えるまで第２吸収部４２に移行し難い。そのため、第２吸収部４２では身体を伝って第２吸収部４２に吸収された体液の保持に対応する吸収性能を有していれば良い。
【００１３】
第１吸収部４１及び第２吸収部４２を構成する材料には、従来から生理用ナプキンに使用されている公知のものを特に制限無く使用することができる。第１吸収部４１及び第２吸収部４２の好ましい構成材料としては、パルプと吸収性ポリマーを混合積繊体、紙や不織布等のシートの間に粘着剤や湿潤時の粘着性によって吸収性ポリマーを固定したポリマーシート、乾式パルプシート等が挙げられる。また、製造時の搬送の容易さから、これらのシートを各々あるいは第１吸収部４１と第２吸収部４２をそれぞれ１０〜２０ｇ／ｍ2程度の吸収紙や親水化処理を施した不織布で包み込んでも良い。
【００１４】
第１吸収部４１の厚みは、吸収性と股間部から臀部へのフィット性を考慮すると、１〜１５ｍｍが好ましく、３〜１０ｍｍがより好ましい。第２吸収部４２の厚みは、臀部間の溝へのフィット性を考慮すると、第１吸収部４１の厚みの３０〜１００％が好ましく、その厚みは、１〜１５ｍｍが好ましく、１．５〜５ｍｍがより好ましい。
【００１５】
第１吸収部４１の坪量は、吸収性を考慮すると、５０〜１０００ｇ／ｍ2が好ましく、１００〜７００ｇ／ｍ2がより好ましい。第２吸収部４２は、吸収保持能力よりもフィット性による伝いモレ等を防ぐ観点から、２０〜５００ｇ／ｍ2が好ましく、５０〜２００ｇ／ｍ2がより好ましい。
【００１６】
第１吸収部４１は、吸収性とフィット性を向上させる観点から、吸収性ポリマーを含んでいることが好ましい。吸収性ポリマーは、第１吸収部４１の重量の１０〜５０％が配合されていることが好ましく、より好ましくは２０〜３０％である。第２吸収部４２は、臀部間の溝へのフィット性と柔軟性の観点から、含まれなくてもよく、吸収性及び柔軟性を損なわない程度に第２吸収部４２に対して５〜３０重量％程度の吸収性ポリマーを含んでいてもよい。
【００１７】
第１吸収部４１及び第２吸収部４２を上述のように独立させる離間部４３は、ナプキン１の幅方向中心に向けてくぼんだ左右対称の湾曲形状を有しているため、第１吸収部４１の後方部分が身体の湾曲形状と一致しやすくなって、ナプキン１が身体にフィットし易い。離間部４３における第１吸収部４１側の湾曲形状は、身体のくぼみ形状によく適合し、ナプキン１の身体へのフィット性を高めることができる。離間部４３における第２吸収部４２側の湾曲形状は、第２吸収部４２の後端部４２０が臀部間の溝によりフィットするようになる。
【００１８】
ナプキン１では、第２吸収部４２どうしが第１吸収部４１の後端部４１０の後方において離間しているため、より曲がりやすく、図３に示すように、ナプキン１の臀部間の溝へのフィット性をさらに高めることができる。第１吸収部４１と第２吸収部４２の後端部４２０の間隔Ｄ１は、第１吸収部４１のフィット性及び装着感を考慮すると、５〜１００ｍｍが好ましく、１０〜５０ｍｍがより好ましい。また、第２吸収部４２間の離間部４３の間隔Ｄ２は、装着時に第１吸収部４１と第２吸収部４２双方の形状変形を阻害しないフィット性と吸収性を考慮すると、１〜３０ｍｍが好ましく、５〜２０ｍｍがより好ましい。また、第２吸収部４２間の離間部４３の間隔Ｄ２が１５〜３０ｍｍの場合には、第２吸収部４２の湾曲形状の効果によって、より身体に離間部４３を適合させることができる。
【００１９】
本実施形態のナプキン１では、第１吸収部４１と第２吸収部４２の間の離間部４３において表面シート２と裏面シート３とが接合されている。
離間部４３において表面シート２と裏面シート３とを接合する場合、第１吸収部４１の後端部４１０より後方において、表面シート２と裏面シート３とが接合されていると、第１吸収部４１の後端部４１０付近が身体にフィットし易くなる点から好ましい。一方、第２吸収部４２の先端部４２１の付近では表面シート２と裏面シート３とが接合されていないことが、肌触りの点、及び吸収体の液が移動し易くなり、側部モレが起こりにくくなる点から好ましい。
【００２０】
第１吸収部４１及び第２吸収部４２と、表面シート２及び裏面シート３とは、第１／第２吸収部のヨレ防止及び境界部での可撓性の向上の点から接合することが好ましいが、第１／第２吸収部が、上記段落〔００１３〕に記載のようなポリマーシートである場合には接合しなくてもよい。具体的な接合形態としては、（１）各吸収部の上面を表面シート２に、各吸収部の下面を裏面シート３に、それぞれ接合する形態、（２）各吸収部の上面を表面シート２に、又は各吸収部の下面を裏面シート３に接合する形態が挙げられる。接合方法には、吸収体４の吸収性を阻害しないように接合方法が採用され、具体的には、ヒートシールによる接合方法やホットメルト接着剤を用いた接合方法等の公知の接合方法が採用される。
【００２１】
表面シート２は、液透過性シートから構成される。該液透過性シートには、従来からこの種の吸収性物品に使用されている公知の液透過性シートを特に制限なく用いることができる。該液透過性シートとしては、液体を上記吸収体４へ透過させることができるものであれば制限はないが、特に肌着に近い感触を有するものが好ましい。斯かる液透過性シートとしては、例えば、熱可塑性樹脂の織布、不織布及び開孔されたフィルムシート等が挙げられる。特に、肌着に近い感触を与えるものとして、芯成分にポリプロピレンやポリエステル、鞘成分にポリエチレンを用いた、芯鞘構造型（サイドバイサイド型含む）複合繊維をカーディングによりウエブ化した後、エアスルー法によって不織布（この後所定箇所に開孔処理を施しても良い）としたものが好ましく、液透過性の高さの点（ドライ感）から、低密度ポリエチレン等のポリオレフィンからなる開孔シートも好ましく用いることができる。
【００２２】
裏面シート３は、液不透過性シートから構成される。該液不透過性シートには、従来からこの種の吸収性物品に使用される液不透過性シートを特に制限なく用いることができる。斯かる液不透過性シートとしては、例えば、熱可塑性樹脂に無機化合物又は有機化合物のフィラーを添加したものを、Ｔダイやサーキュラーダイから溶融押出してフィルムを形成し、次いで、斯かるフィルムを一軸又は二軸延伸して得た透湿性を有する多孔性シートを用いることができる。また、スパンボンド不織布（Ｓ）とメルトブロー不織布（Ｍ）が積層され複合化された積層不織布（例えばＳＭ、ＳＭＳ、ＳＭＭＳなど）を用いることも通気性と柔軟性の点から好ましい。尚、吸収体の非肌当接面に防漏性のシートが介在された場合には、裏面シート３は液不透過性でなくてもよい。
【００２３】
ウィングフラップ５は、表面シート２の両側縁部を覆うシート５０と、裏面シート３とで構成されている。裏面シート３にはずれ止め用の粘着剤５１が塗工されている。シート５０を構成するシートには、従来からこの種の吸収性物品に使用されている公知のシートを特に制限なく用いることができる。シート５０の好ましいシートとしては、撥水性の不織布、例えば、前記積層不織布が挙げられる。
【００２４】
本実施形態のナプキン１は、吸収体４の第１吸収部４１が、その後端部４１０が第２吸収部４２の後端部４２０の前方に位置するように設けられており、また、第２吸収部４２がナプキン１を身体に装着したときに一方の変形が他方の変形に影響を及ぼすことが抑えられるので、従来に比べて柔軟に変形できる。よって、身体へのフィット性が良好になり、漏れ防止性が高められる。また、吸収部が、離間部４３を介して第１吸収部４１と第２吸収部４２に画成されており、離間部４３に沿った変形が起こりやすいので、ナプキン１を身体に装着したときの身体へのフィット性がより高められる。さらに、第２吸収部４２は、後方において隙間Ｄ２を有し、前方に向けて幅が狭くなるように設けられているので、後方部では臀部を広く覆いながら臀部形状にフィットし、股間部では身体形状や動きに対してもフィットする。
【００２５】
図４〜図８は、本発明の吸収性物品をナプキンに適用した他の実施形態を模式的に示したものであり、これらの図において、前記第１実施形態と共通する部分については同一符号を付し、その説明は省略する。従って、特に説明のない部分については、前記第１実施形態における説明が適宜適用される。
【００２６】
図４及び図５（ａ）〜（ｃ）に示す第２実施形態のナプキン１’は、第１吸収部４１と第２吸収部４２との間に境界部４４を有し、さらに第１吸収部４１と第２吸収部４２を包み込む吸収紙４０を有する以外は、第１実施形態のナプキン１と同様の構成を有しており、第２実施形態のナプキン１においても、第１実施形態のナプキン１と同様の効果が奏される。以下、第１実施形態と異なる点について説明する。
【００２７】
第１吸収部４１と第２吸収部４２の間の境界部４４は、第１吸収部４１及び第２吸収部４２よりも薄く形成されている。境界部４４は、吸収体４の平面形態に対応した薄い吸収シート４５の表裏面に、前記第１実施形態における第１吸収部４１及び第２吸収部４２の形成材料を積層して形成することができる。境界部４４は、本実施形態における構成以外に、吸収体の境界部４４としたい部分を圧縮によって厚みを薄くする方法によって形成することができる。
【００２８】
境界部４４は、第１吸収部４１及び第２吸収部４２の５〜３０％の厚みであることが屈曲性の点から好ましい。境界部４４により、第１吸収部４１から液が溢れる前に徐々に第２吸収部４２へ液を移動させて、モレ防止効果をより高めることができる。そのため、境界部４４では、液の移動が大量に行えないように高圧縮化されているか、低坪量であることが好ましい。高圧縮の場合の境界部４４では、液を適度に第２吸収部４２へ導けることから使用時の表面ドライ感が継続して得られ易い点で好ましく、坪量が１００〜５００ｇ／ｍ2で、密度が０．２〜０．６ｇ／ｃｍ3であることが好ましい。密度が０．２ｇ／ｃｍ3より低い場合は、通過する液量が多くなり、０．６ｇ／ｃｍ3より大きい場合は、屈曲しにくくなる。低坪量の場合の境界部４４では、屈曲性がよくフィット性が良好となる点で好ましく、坪量が１０〜２００ｇ／ｍ2であることが好ましい。境界部４４の坪量は、第１吸収部４１の１０〜６０％、第２吸収部の４２の２０〜８０％であることが可撓性、吸収体の拡散抑制の点から好ましい。
【００２９】
境界部４４は、製造時の搬送工程での安定性や装着時の各種外力による影響を受けにくくする観点から、図４及び図５（ａ）〜（ｃ）に示される形態のように、第１吸収部４１と第２吸収部４２を吸収紙４０で包み込むことが好ましい。また、吸収紙４０で包み込まれた状態を安定にする観点から、吸収紙４０と第１吸収部４１と第２吸収部４２の間に吸収性を阻害しない手段で接着剤を塗布しても良い。図５において、境界部４４は吸収紙４０と接合されていないが、接着剤やヒートシール等の接合方法によって接合されていてもよい。
また、第１実施形態における吸収部と表面シート及び裏面シートとの接合方法と同様に、本実施形態におけるように、吸収紙４０で包んだ場合にも、吸収紙４０と表面シート２又は／及び裏面シート３とを接合することによって、ナプキン１’における吸収体の一体化を図ることができるので好ましい。
【００３０】
図６に示す第３実施形態のナプキン１’は、間隔Ｄ１及びＤ２が第１及び第２実施形態と異なる以外は第２実施形態のナプキン１’と同様に設けられている。本実施形態のナプキン１’は、間隔Ｄ１より間隔Ｄ２が長く形成されていることから、臀部間の溝におけるフィット性が高まり、違和感も非常に少なく、境界部４４を有しているので、前述の液止め効果も高めることができる。
【００３１】
図７に示す第４実施形態のナプキン１’は、第２吸収部４２が第１吸収部４１の幅方向側部を越えて後部フラップ部６、６にまで形成されている以外は、第１実施形態のナプキン１と同様に設けられている。本実施形態のナプキン１’は、第１実施形態のナプキン１の効果に加え、後部フラップ６、６にまで第２吸収部４２が形成されているので、身体の伝いモレをより防ぐことができる。
【００３２】
図８に示す第５実施形態のナプキン１’は、離間部４３が直線状の形状で形成されている以外は、第１実施形態のナプキンと同様に設けられている。本実施形態のナプキン１’も、第１実施形態のナプキン１と同様に、装着時の身体へのフィット性に優れ、漏れ防止効果の高いものである。
【００３３】
本発明は前記実施形態に制限されるものではなく、本発明の趣旨を逸脱しない範囲において、適宜変更可能である。
【００３４】
本発明は、前記各実施形態のように、ウィングフラップ５、５を備えたナプキンに好適であるが、ウィングフラップを備えていないナプキンにも適用することができる。この場合、第２吸収部の前端部が、排泄ポイント付近に位置するように配することが、離間部４３又は境界部４４の屈曲によって第１吸収部が隆起して、フィット性が高まる点で好ましい。ここで、排泄ポイントとは、着用者の身体、使用する下着、着用時の形態等によって異なるが、生理用ショーツ等を使用している場合には、生理用ショーツの股間部における幅の最も狭い位置付近であり、製品長が２００ｍｍ以上の製品では、長手方向前端より１００ｍｍ〜１５０ｍｍ程度位置をいう。
【００３５】
本発明の吸収性物品は、吸収部を吸収紙によって包んで吸収体を設ける場合には、各吸収部を１枚の吸収紙で包み込んでもよいし吸収部毎に吸収紙で包んでもよい。また、各吸収部の間に離間部を設ける場合においても、吸収部毎に吸収紙に包み込むことによって、吸収紙で被覆された吸収部どうしの間に離間部を設けることができる。
【００３６】
また、本発明の吸収性物品において、吸収部が配されていない部位の吸収紙は切り取ってもよいが、離間部４３及び第２吸収部４２の吸収紙４０を裏面シート３側に重ねて配置することで、境界部としても良い。
【００３７】
また、本発明の吸収性物品は、吸収体が中高部を有する形態の収性物品にも適用することができる。この中高部は、第１吸収部の幅方向中心軸に沿って所定幅及び所定長さの第１吸収部を中高にすることで形成することが好ましい。この中高部は排泄ポイント（ウイングフラップの中心位置）から第１吸収部４１の後端部４１０まで形成することが。この場合離間部４３又は境界部４４、及び間隔Ｄ２は図１又は図４程度が良好である。
【００３８】
また、本発明の吸収性物品は、各吸収部の間に境界部を有する形態において、当該境界部の形態を図８の離間部と同様に直線状の形態とすることもできる。
【００３９】
また、本発明の吸収性物品は、吸収体が表面シート及び／又は裏面シートに接合されていることが好ましいが、吸収体と表面シート及び／又は裏面シートと接合せずに、各吸収部の周りを囲むように表面シートと裏面シートとを接合することによって、ナプキンにおける吸収体の一体化を図ることもできる。
【００４０】
本発明の吸収性物品は、前記実施形態のような生理用ナプキンのほか、パンティライナー、失禁パッド等の吸収性物品に好適である。
【図面の簡単な説明】
【００４１】
【図１】本発明の吸収性物品の第１実施形態を模式的に示す一部を切り欠いた平面図である。
【図２】第１実施形態の吸収性物品の要部を模式的に示す図であり、（ａ）は図１におけるＡ−Ａ矢視拡大断面図、（ｂ）はＢ−Ｂ矢視拡大断面図、（ｃ）はＣ−Ｃ矢視拡大断面図である。
【図３】第１実施形態の吸収性物品を装着したときの臀部における吸収体が装着状態を模式的に示す断面図である。
【図４】本発明の吸収性物品の第２実施形態を模式的に示す一部を切り欠いた平面図（図１相当図）である。
【図５】本発明の吸収性物品の第２実施形態における要部を模式的に示す図であり、（ａ）は図４におけるＡ−Ａ矢視拡大断面図相当図、（ｂ）はＢ−Ｂ矢視拡大断面図相当図、（ｃ）はＣ−Ｃ矢視拡大断面図相当図である。
【図６】本発明の吸収性物品の第３実施形態を模式的に示す一部を切り欠いた平面図（図１相当図）である。
【図７】本発明の吸収性物品の第４実施形態を模式的に示す一部を切り欠いた平面図（図１相当図）である。
【図８】本発明の吸収性物品の第５実施形態を模式的に示す一部を切り欠いた平面図（図１相当図）である。
【符号の説明】
【００４２】
１、１’  生理用ナプキン（吸収性物品）
２  肌当接面
３  非肌当接面
４  吸収体
４０  吸収紙
４１  第１吸収部
４２  第２吸収部
４３  離間部
４４  境界部
５  ウィングフラップ
６  後部フラップ
【図１】
2008035920.tif 000003
【図２】
2008035920.tif 000004
【図３】
2008035920.tif 000005
【図４】
2008035920.tif 000006
【図５】
2008035920.tif 000007
【図６】
2008035920.tif 000008
【図７】
2008035920.tif 000009
【図８】
2008035920.tif 000010